(57)【要約】【課題】赤外線を利用して毛髪などの乾燥を行うヘアードライヤーにおいて、熱効率を向上させて低消費電力化しながら、低価格化と小型軽量化を実現できる手段を提供する。【解決手段】ヘアードライヤーは、送風ファンと、モーターと、光源と、反射板を備える。光源は反射板の内壁側に設けられ、光源から放射された光は吹出口側へ向かうように反射板の内壁で反射させられる。一方、モーターにより回転を受けた送風ファンから送風される風は、反射板の外壁側を通り吹出口側に向かう。反射板が風の流路制御を兼ね、流路制御のための別途の部品や構造が不要であるので、反射板を小さくして開口部を小さくできる。その結果、ヘアードライヤーの低価格化と小型軽量化を実現できる。【選択図】図１
2019050945.tif 000002
【特許請求の範囲】
【請求項１】
筒状の本体ケースと、
前記本体ケースの吸込口から吹出口へ至る前記本体ケース内に、送風ファンと、送風ファンを駆動するモーターと、
前記本体ケース内の光源から前記吹出口へ至る光通路に、前記光源の周囲を囲むように設けられたリフレクターと、
を備えたヘアードライヤーであって、
前記吹出口は、光吹出部と風吹出部を有し、
前記光源からの光は、前記リフレクターの内壁で反射して前記光吹出部から放出され、
前記吸込口から取り込まれた風は、前記送風ファンによって前記吹出口の方向へ送風され、前記リフレクターの外壁と前記本体ケースで挟まれた風吹出通路を通って、前記風吹出部から放出されることを特徴とするヘアードライヤー。
【請求項２】
前記光吹出部に、若しくは前記光吹出部と前記光源の間に、遮光フィルターが配置されている請求項１に記載のヘアードライヤー。
【請求項３】
前記吹出口から見たときに、前記風吹出部は前記光吹出部を囲むように形成されている請求項１または２に記載のヘアードライヤー。
【発明の詳細な説明】
【技術分野】
【０００１】
本発明は、熱源から放射される赤外線と、風を利用して毛髪などの乾燥を行うヘアードライヤーに関する。
【背景技術】
【０００２】
熱源から赤外線が放射され、風を利用して毛髪などの乾燥を行うヘアードライヤーは、特許文献1に開示されている。特許文献1のヘアードライヤーは、吐出口全体から風が吐出されて大風量の風が得られると共に、赤外線効率を下げない技術を提供する。
【先行技術文献】
【特許文献】
【０００３】
【特許文献１】特開平５−１６８５１７号公報
【発明の概要】
【発明が解決しようとする課題】
【０００４】
特許文献1のヘアードライヤーにおいては、モーター、ファンからなる送風装置から送り出された風は、整流翼となる支持板により整流され、遠赤外線ヒータの内面側、外面側と夫々別れて送風される。この場合、遠赤外線ヒータの外面側に送風されてきた風がヒータ線を直接冷却するという問題があるが、特許文献１では、遠赤外線ヒータの外面においてヒータ線を巻いた部分に対応する遠赤外線放射体の表面を凹没させて段差を形成することによりこの問題を解決している。このような段差を設けることにより、送風されてきた風にてヒータ線が直接冷却されにくくなり、同時にヒータ線の発熱による対流熱を吐出口に送ることができる。
【０００５】
しかし、遠赤外線放射体の表面を凹没させる構造が複雑であり、また、風の制御のための部品が別途必要で部品点数が増大するため低価格化が難しい。
【０００６】
さらに、反射板の一部に風の流路を設ける必要があるため、反射板を小さくすることができず、全体として開口部を小さくすることができない。すなわち、小型化、軽量化が困難であるといった問題もあった。
【０００７】
また、本願では遠赤外線の発生源として光源を用いるが、その場合、ヘアードライヤーの使用者が光源を直視できる構造であると、光源からの光が使用者の目にダメージを与えてしまうという問題もあった。
【０００８】
本願は、構造を複雑化することなく低価格化と小型軽量化が可能で、かつ光源からの光が使用者の目にダメージを与えない安全なヘアードライヤーを提供することを目的とする。
【課題を解決するための手段】
【０００９】
上記課題を解決するために、本発明のヘアードライヤーは、筒状の本体ケースと、前記本体ケースの吸込口から吹出口へ至る前記本体ケース内に、送風ファンと、送風ファンを駆動するモーターと、前記本体ケース内の光源から前記吹出口へ至る光通路に、前記光源の周囲を囲むように設けられたリフレクターと、を備えたヘアードライヤーであって、前記吹出口は、光吹出部と風吹出部を有し、前記光源からの光は、前記リフレクターの内壁で反射して前記光吹出部から放出され、前記吸込口から取り込まれた風は、前記送風ファンによって前記吹出口の方向へ送風され、前記リフレクターの外壁と前記本体ケースで挟まれた風吹出通路を通って、前記風吹出部から放出されることを特徴とする。
【発明の効果】
【００１０】
本発明のヘアードライヤーにおいては、赤外線を放射する発熱部は、発熱部を取り囲むように設けられるリフレクターの内壁側に配置され、リフレクターの内壁で反射された赤外線が吐出口へ送られる。一方、風はリフレクターの内壁側を通らず、リフレクターの外壁側のみを流れて吐出口へ送られる。すなわち、本発明のヘアードライヤーでは、吐出口までの赤外線が放出されるルートと風が放出されるルートが異なる。
【００１１】
本発明のヘアードライヤーは、発熱部として従来の光源を用いることができ、従来のように赤外線放射体の表面を凹没させる必要はない。また、リフレクターで風の流路を制御するため、風の制御のための別途の部品は不要である。その結果、従来に比べて低価格化を実現できる。また、リフレクターの一部に風の流路を設ける必要もなく、リフレクターを小さくして開口部を小さくできるので、ヘアードライヤーの小型化、軽量化が容易である。
【００１２】
本発明のヘアードライヤーは、吐出口までの赤外線が放出されるルートと風が放出されるルートが異なるので、簡単な構成で風の放出を妨げることなく、赤外線源である光源から赤外線以外の不要な波長域の光を除くことができる。その結果、光源からの光が使用者の目にダメージを与えてしまうという問題を解決でき、安全なヘアードライヤーを提供できる。
【図面の簡単な説明】
【００１３】
【図１】本発明に係るヘアードライヤーの側面図と正面図である。
【発明を実施するための形態】
【００１４】
図１は、本発明のヘアードライヤーの側面図と正面図である。ヘアードライヤー１００は、本体ケース１０１内に送風ファン２０１とモーター２０２を備える。モーター２０２は送風ファン２０１を駆動し、送風ファン２０１が吸込口２０１から風を吸込んで吹出口１０３から風を放出する。
【００１５】
一方、本発明のヘアードライヤー１００は、光源３０１を備え、光源３０１の周囲を囲むようにリフレクター３０２が設けられる。光源３０１から放射される赤外線はリフレクター３０２の内壁で反射され吹出口１０３から放出される。
【００１６】
本発明のヘアードライヤー１００を用いれば、吹出口１０３から放出される風により髪の毛を迅速に乾かすことができ、また、吹出口１０３から放出される赤外線が頭皮の皮膚を加熱するので、温かみを感じて使用時の快適感も与えることができる。
【００１７】
本発明のヘアードライヤー１００は、吹出口１０３までの赤外線が放出されるルートと風が放出されるルートが異なることが特徴である。以下、本発明の特徴を説明する。
【００１８】
図１に示したように、吹出口１０３には光が放出される光吹出部１１０と風が放出される風吹出部１１１が別個に設けられる。吹出口１０３から見たときに、風吹出部１１１は光吹出部１１０を囲むように形成されている。光源３０１から放射される赤外線はリフレクター３０２の内壁で反射され光吹出部１１０から放出される。一方、吸込口１０２から取り込まれた風２０３は、送風ファン２０１によって吹出口１０３の方向へ送風され、リフレクター３０２の外壁と本体ケース１０１で挟まれた風吹出通路１０４を通って、風吹出部１１１から放出される。すなわち、リフレクター３０２が光のルートと風のルートを制御する機能を兼ねることにより、光が放出される光吹出部１１０と風が放出される風吹出部１１１を別個に設けることが可能となる。
【００１９】
このように、本発明のヘアードライヤー１００では、リフレクター３０２が光源３０１からの光の制御と風２０３の流路の制御を兼ねるので、風２０３の制御のための別途の部品は不要である。発熱部として一般的な光源を用いることができ、従来のように赤外線放射体の表面を凹没させる必要はない。その結果、従来に比べて低価格化を実現できる。
【００２０】
本発明のヘアードライヤー１００は、リフレクター３０２の外壁で風２０３の流路を制御するため、また、リフレクター３０２の一部に風２０３の流路を設ける必要もなく、リフレクター３０２を小さくして吹出口１０３を小さくできる。その結果、ヘアードライヤー１００全体として小型化、軽量化が可能となる。
【００２１】
ところで、本発明のヘアードライヤー１００では赤外線の発生源として光源３０１を用いるが、その場合、ヘアードライヤー１００の使用者が光源３０１を直視できる構造であると、光源３０１からの光が使用者の目にダメージを与えてしまうという問題がある。
【００２２】
本発明では、吹出口１０３には光が放出される光吹出部１１０と風が放出される風吹出部１１１を別個に設けることができる。したがって、光吹出部１１０若しくは光吹出部１１０と光源３０１との間に赤外線を通過させる遮光フィルター（図示しない）を設ければ、風吹出部１１１から放出される風を遮ることなく、所望の赤外線のみを光吹出部１１０から放出することができる。
【００２３】
その結果、光源３０１からの光が使用者の目にダメージを与えてしまうという問題について、遮光フィルターを追加するという簡単な構成で解決でき、安全性をも備えたヘアードライヤー１００を提供できる。
【符号の説明】
【００２４】
１００  ヘアードライヤー
１０１  本体ケース
１０２  吸込口
１０３  吹出口
１０４  風吹出通路
１１０  光吹出部
１１１  風吹出部
２０１  送風ファン
２０２  モーター
２０３  風
３０１  光源
３０２  リフレクター
【図１】
2019050945.tif 000003